【手続補正書】
【提出日】平成25年1月30日(2013.1.30)
【手続補正１】
【補正対象書類名】明細書
【補正対象項目名】０００８
【補正方法】変更
【補正の内容】
【０００８】
以上の問題点を解決することを目的として、本発明は、液滴を吐出するノズルと、該ノズルから吐出された液滴を、媒体に付与する液滴と付与しない液滴とに分けるべく偏向させることが可能な偏向手段と、前記媒体に付与しない液滴を回収する液滴回収手段とを有する液体吐出ヘッドを用いる液体吐出装置であって、
前記ノズルから吐出された液滴が前記媒体へ向かう経路に沿って、前記ノズルから前記媒体に隣接する前記媒体に付与する液滴の液滴出口まで延在する通路が設けられ、該通路は、その内側に空気が入るようにする空気入口と、前記液滴回収手段とは別に設けられて前記通路の外側に空気を排出するようにする空気排出口とを有し、前記空気入口は前記ノズルに隣接して設けられ、前記ノズルから液滴が飛翔する方向に向かって、前記空気入口、前記空気排出口、前記液滴出口の順に配置され、
前記空気入口および前記空気排出口は、それぞれ、前記通路の外側に設置された流入制御手段および流出制御手段にそれぞれ接続され、
（前記流入制御手段が前記空気入口に供給する流量の設定値）×０．８≦（前記流出制御手段が前記空気排出口から排出させる流量の設定値）≦（前記流入制御手段が前記空気入口に供給する流量の設定値）となっており、
かつ、前記媒体に付与する液滴が飛翔する軌道に垂直で前記空気排出口の重心を通る平面と前記軌道との交点から、前記軌道に垂直で前記液滴出口の外端を通る平面と前記軌道との交点まで区間の距離をｌ（ｍ）、前記通路の前記区間での平均直径をｄ（ｍ）、前記流入制御手段が前記空気入口に供給する単位時間当たりの流量をＱin（ｍ3／ｓ）としたとき、
ｌ＞４．２４×１０6ｄ×Ｑin＋０．００６６×ｄ−７７０×Ｑin＋９．２×１０-5
が成り立つように構成されていることを特徴とする。
【手続補正２】
【補正対象書類名】明細書
【補正対象項目名】００５５
【補正方法】変更
【補正の内容】
【００５５】
このＣの値を代入すると、反転流の大きさｌrは、以下の式によって表される。  
ｌr＝４．２４×１０6ｄＱ＋０．００６６ｄ−７７０Ｑ＋９．２×１０-5
・・・（１−１４）
このｌrに比べて、空気排出口１１６から記録液滴出口１１７までの区間の距離を大きくすることで、記録液滴出口１１７からの空気の流出と流入を防ぐことができる。空気排出口１１６から記録液滴出口１１７までの区間の距離とは、記録液滴軌道に垂直で空気排出口１１６の重心を通る平面と記録液滴軌道との交点から記録液滴軌道に垂直で前記記録液滴出口１１７の外端を通る平面と前記記録液滴軌道との交点までの距離を表す。
【手続補正３】
【補正対象書類名】特許請求の範囲
【補正対象項目名】全文
【補正方法】変更
【補正の内容】
【特許請求の範囲】
【請求項１】
液滴を吐出するノズルと、該ノズルから吐出された液滴を、媒体に付与する液滴と付与しない液滴とに分けるべく偏向させることが可能な偏向手段と、前記媒体に付与しない液滴を回収する液滴回収手段とを有する液体吐出ヘッドを用いる液体吐出装置であって、
前記ノズルから吐出された液滴が前記媒体へ向かう経路に沿って、前記ノズルから前記媒体に隣接する前記媒体に付与する液滴の液滴出口まで延在する通路が設けられ、該通路は、その内側に空気が入るようにする空気入口と、前記液滴回収手段とは別に設けられて前記通路の外側に空気を排出するようにする空気排出口とを有し、前記空気入口は前記ノズルに隣接して設けられ、前記ノズルから液滴が飛翔する方向に向かって、前記空気入口、前記空気排出口、前記液滴出口の順に配置され、
前記空気入口および前記空気排出口は、それぞれ、前記通路の外側に設置された流入制御手段および流出制御手段にそれぞれ接続され、
（前記流入制御手段が前記空気入口に供給する流量の設定値）×０．８≦（前記流出制御手段が前記空気排出口から排出させる流量の設定値）≦（前記流入制御手段が前記空気入口に供給する流量の設定値）となっており、
かつ、前記媒体に付与する液滴が飛翔する軌道に垂直で前記空気排出口の重心を通る平面と前記軌道との交点から、前記軌道に垂直で前記液滴出口の外端を通る平面と前記軌道との交点まで区間の距離をｌ（ｍ）、前記通路の前記区間での平均直径をｄ（ｍ）、前記流入制御手段が前記空気入口に供給する単位時間当たりの流量をＱin（ｍ3／ｓ）としたとき、
ｌ＞４．２４×１０6ｄ×Ｑin＋０．００６６×ｄ−７７０×Ｑin＋９．２×１０-5
が成り立つように構成されていることを特徴とする液体吐出装置。
【請求項２】
前記流入制御手段から前記空気入口までの空気の流路抵抗をＲ1（Ｐａ・ｓ／ｍ3）、前記空気排出口から前記流出制御手段までの空気の流路抵抗をＲ2（Ｐａ・ｓ／ｍ3）、前記空気入口から前記空気排出口までの空気の流路抵抗をＲ3（Ｐａ・ｓ／ｍ3）、前記空気排出口から前記液滴出口までの空気の流路抵抗をＲ4（Ｐａ・ｓ／ｍ3）とし、前記流入制御手段での圧力をＰ1（Ｐａ）、前記流出制御手段での圧力をＰ2（Ｐａ）、前記空気排出口の外側での外気の圧力をＰ0（Ｐａ）とし、前記通路での単位時間当たりの流量をＱ0（ｍ3／ｓ）としたとき、ｔを０．８≦ｔ≦１を満たす実数として、
Ｐ1＝Ｐ0＋Ｑ0×（Ｒ1＋Ｒ3＋（１−ｔ）Ｒ4）、かつ
Ｐ2＝Ｐ0−Ｑ0×（−ｔＲ2＋（１−ｔ）Ｒ4）
が成り立つように構成されていることを特徴とする請求項１に記載の液体吐出装置。
【請求項３】
液滴を吐出するノズルと、該ノズルから吐出された液滴を、媒体に付与する液滴と付与しない液滴とに分けるべく偏向させることが可能な偏向手段と、前記媒体に付与しない液滴を回収する液滴回収手段とを有する液体吐出ヘッドを用いる液体吐出装置であって、
前記ノズルから吐出された液滴が前記媒体へ向かう経路に沿って、前記ノズルから前記媒体に隣接する前記媒体に付与する液滴の液滴出口まで延在する通路が設けられ、該通路は、その内側に空気が入るようにする空気入口と、前記液滴回収手段とは別に設けられて前記通路の外側に空気を排出するようにする空気排出口とを有し、前記空気入口は前記ノズルに隣接して設けられ、前記ノズルから液滴が飛翔する方向に向かって、前記空気入口、前記空気排出口、前記液滴出口の順に配置され、
前記空気入口および前記空気排出口は、それぞれ、前記通路の外側に設置された流入制御手段および流出制御手段にそれぞれ接続され、
（前記流入制御手段が前記空気入口に供給する流量の設定値）×０．８≦（前記流出制御手段が前記空気排出口から排出させる流量の設定値）≦（前記流入制御手段が前記空気入口に供給する流量の設定値）となっており、
かつ、前記空気排出口から前記液滴出口までの前記通路の部分には、その上流よりも流路幅が狭くなっている絞り部が設けられていることを特徴とする液体吐出装置。
【請求項４】
前記ノズルから前記液滴出口に向かう向きを正とした場合の、前記媒体に付与する液滴が飛翔する軌道の方向ベクトルと、前記空気排出口での空気の流れの方向を正とした場合の、前記空気排出口の開口の法線ベクトルと、のなす角が９０度以下であることを特徴とする請求項１乃至３のいずれかに記載の液体吐出装置。
【請求項５】
前記ノズルが複数設けられるとともに、該複数のノズルに対応して複数の前記通路が設けられていることを特徴とする請求項１乃至４のいずれかに記載の液体吐出装置。
【請求項６】
前記ノズルが複数設けられるとともに、該複数のノズルに対応して複数の前記通路が設けられ、前記流入制御手段は前記複数の通路に対し共通して設けられており、前記空気入口から前記流入制御手段の間には、前記空気入口に接続された支流と、前記複数の通路に設けられる前記支流が合流して前記流入制御手段までを接続する本流とを有する流路を備え、前記支流から前記空気入口までの流路抵抗は、前記支流から前記本流までの流路抵抗よりも大きいことを特徴とする請求項１乃至５のいずれかに記載の液体吐出装置。
【請求項７】
前記ノズルが複数設けられるとともに、該複数のノズルに対応して複数の前記通路が設けられ、前記流入制御手段は前記複数の通路に対し共通して設けられており、前記複数の通路のそれぞれの前記空気入口から前記流入制御手段までの流路抵抗がすべて等しくなるように、それぞれの前記空気入口での流路抵抗が調節されていることを特徴とする請求項１乃至６のいずれかに記載の液体吐出装置。
【請求項８】
それぞれの前記空気入口の開口面積を異ならせることによって前記調節が行われることを特徴とする請求項７に記載の液体吐出装置。
【請求項９】
前記ノズルが複数設けられるとともに、該複数のノズルに対応して複数の前記通路が設けられ、前記前記流出制御手段は前記複数の通路に対し共通して設けられており、前記空気排出口から前記流出制御手段の間には、前記空気排出口に接続された支流と、前記複数の通路に設けられる前記支流が合流して前記流出制御手段までを接続する本流とを有する流路を備え、前記支流から前記空気排出口までの流路抵抗は、前記支流から前記本流までの流路抵抗よりも大きいことを特徴とする請求項１乃至５のいずれかに記載の液体吐出装置。
【請求項１０】
前記ノズルが複数設けられるとともに、該複数のノズルに対応して複数の前記通路が設けられ、前記流入制御手段は前記複数の通路に対し共通して設けられており、前記複数の通路のそれぞれの前記空気排出口から前記流出制御手段までの流路抵抗がすべて等しくなるように、それぞれの前記空気排出口での流路抵抗が調節されていることを特徴とする請求項１乃至５のいずれか、または請求項９に記載の液体吐出装置。
【請求項１１】
それぞれの前記空気排出口の開口面積を異ならせることによって前記調節が行われることを特徴とする請求項１０に記載の液体吐出装置。